(57)【要約】【課題】嵩張らず、かつ天井先組みが出来るように床パネルに倒れないように立てることを可能とするユニット式ルームの支柱を提供すること。【解決手段】床パネル１２のコーナー部分に配置する支柱１４は、一方の壁パネル１８の端縁に連結される第１の長尺片１４Ａと、他方の壁パネル１８の端縁に連結される第２の長尺片１４Ｂと、第１の長尺片１４Ａに形成される固定片１４Ｃと、を有し、角柱等の閉断面形状の支柱に比較して材料使用量が減らされている。また、固定片１４Ｃに形成された取付孔２２にネジ２８を通して床パネル１２のフランジ部１２Ｂに固定することで、支柱１４を床パネル１２に倒れないように立てることができ、支柱１４の上に天井パネルを先組みしてから壁パネル１８を組み付けることができる。【選択図】図４
2011099218.tif 000002
【特許請求の範囲】
【請求項１】
ユニット式ルームの床パネルのコーナー部分に配置されて天井パネルの支持を行うと共に、互いに交差する方向に配置される２つの側部材の端部同士を接合するユニット式ルームの支柱であって、
一方の側部材の端縁に沿って長尺状に形成されると共に、前記一方の側部材の端縁に連結される第１の長尺片と、
前記一方の側部材の幅方向一方側の端縁に、前記一方の側部材とは交差する方向に延びると共に他方の側部材の端縁に沿って長尺状に形成され、前記他方の側部材の端縁に連結される第２の長尺片と、
を備え、
前記第１の長尺片の長手方向一方側の側縁、及び前記第２の長尺片の長手方向一方側の側縁の少なくとも一方側に形成され、前記床パネルの床面端縁から上方に向けて延びるフランジ部に対して少なくとも連結可能とされる固定片と、
を有するユニット式ルームの支柱。
【請求項２】
前記固定片は、支柱に渡って長尺状に形成されている、請求項１に記載のユニット式ルームの支柱。
【請求項３】
前記固定片は、側縁の長手方向一方側のみに形成されている、請求項１に記載のユニット式ルームの支柱。
【請求項４】
前記固定片は、側縁の長手方向両側に形成されている、請求項１に記載のユニット式ルームの支柱。
【請求項５】
前記固定片の支柱長手方向の寸法は、前記フランジ部の高さ寸法の５０〜２０００％の範囲内に設定されている、請求項１〜請求項４の何れか１項に記載のユニット式ルームの支柱。
【請求項６】
前記固定片は、前記第１の長尺片と前記第２の長尺片の両方に設けられ、
前記第１の長尺片に設けられた前記固定片と前記第２の長尺片に設けられた前記固定片は夫々互いに交差する方向に延びると共に、前記床パネルの互いに交差する方向に延びる一方の前記フランジ部と他方の前記フランジ部にそれぞれ連結される、請求項１〜請求項５の何れか１項に記載のユニット式ルームの支柱。
【請求項７】
側縁部に床面から上方向に延びるフランジ部を備える床パネルと、
前記床面の側縁部に沿って配置される側部材と、
前記側部材の上部に配置される天井パネルと、
前記床パネルのコーナー部分に配置される請求項１〜請求項６の何れか１項に記載のユニット式ルームの支柱と、
を備え、
前記ユニット式ルームの支柱の固定片が、連結部材によって前記フランジ部に固定され、前記ユニット式ルームの支柱が前記天井パネルを支持しているユニット式ルーム。
【発明の詳細な説明】
【技術分野】
【０００１】
本発明は、ユニット式ルームの支柱にかかり、特に、ユニット式のバスやシャワールーム等のユニット式ルームの天井を支持すると共に、壁用のパネル、ドア枠等の側部材を連結するために用いられるユニット式ルームの支柱、及びユニット式ルームに関する。
【背景技術】
【０００２】
複数枚のパネルを接合して組み立てを行うユニット式ルームとして、例えば、特許文献１〜３に開示されたものがある。
ユニットバスは、防水パンの上に壁を四方に載せ、コーナー部分に長尺状の部材を縦に配し、その上に天井を載せて、ネジ等で固定して組立てるのが一般的な構造である。
【０００３】
コーナー部分に配する部材としては、主に下記の様な２種類の形状に分類される。
（１）  閉断面、または略閉断面とされた断面略四角形の支柱。
（２）  断面略Ｌ字形状とされた長尺状の部材（所謂アングル）。
【先行技術文献】
【特許文献】
【０００４】
【特許文献１】特開２００６―９３２３号公報。
【特許文献２】特開２００６―１８３４３８号公報。
【発明の概要】
【発明が解決しようとする課題】
【０００５】
ところで、ユニットバスの組立の工法において、壁よりも天井を先に設置して後から壁を嵌め込むように施工する天井先組み工法がある。コーナーの支柱において、差し当たり天井を支えることができれば可能であるが、コーナーの支柱が防水パンの上に立てるように出来ていない、壁で支えないと天井が設置できない等では対応が不可能な工法である。天井先組みが可能であると、施工性が良く、施工時の傷付き等のリスクが少なく、また、狭小空間でも組むことができるという利点がある。
【０００６】
ここで、上記（１）の支柱は、上記（２）のアングル形状の部材と比較して、材料が嵩みコストアップとなる（断面で見て、アングルは片が２個に対し、四角形は片が４個のため）。また、アングルに比較して複雑な形状となるため、他のユニットバスに転用し難い場合が多い。
【０００７】
また、上記（２）の部材は、壁と壁とがズレないように壁同士を固定する部材であり、防水パンの上に立てることを想定していないため、防水パンに固定する手段がなく、防水パンに倒れないように立てることは不可能である。そのため、上記（２）の部材を用いたユニットバスでは、壁全体を組立てた後でないと天井を載せることが出来ず、天井先組み工法には対応できない。
【０００８】
本発明は、上記問題を解決すべく成されたもので、上記（１）の支柱のように嵩張らず、かつ天井先組みを可能とするユニット式ルームの支柱、及びこのユニット式ルームの支柱を用いたユニット式ルームを提供することが目的である。
【課題を解決するための手段】
【０００９】
請求項１に記載の発明は、ユニット式ルームの床パネルのコーナー部分に配置されて天井パネルの支持を行うと共に、互いに交差する方向に配置される２つの側部材の端部同士を接合するユニット式ルームの支柱であって、一方の側部材の端縁に沿って長尺状に形成されると共に、前記一方の側部材の端縁に連結される第１の長尺片と、前記一方の側部材の幅方向一方側の端縁に、前記一方の側部材とは交差する方向に延びると共に他方の側部材の端縁に沿って長尺状に形成され、前記他方の側部材の端縁に連結される第２の長尺片と、を備え、前記第１の長尺片の長手方向一方側の側縁、及び前記第２の長尺片の長手方向一方側の側縁の少なくとも一方側に形成され、前記床パネルの床面端縁から上方に向けて延びるフランジ部に対して少なくとも連結可能とされる固定片と、を有する。
【００１０】
次に、請求項１に記載のユニット式ルームの支柱の作用を説明する。
請求項１に記載のユニット式ルームの支柱は、床パネルの床面端縁から上方に向けて延びるフランジ部に対して連結可能とする固定片を備えているため、固定片をネジ等の連結部材を用いてフランジ部に連結することで、床パネルの上に倒れないように立てることができる。
例えば、床パネルが４角形の場合、床パネルの各コーナー部分に支柱を立てることで、４本の支柱の上に天井パネルを載せることができ、これにより、側部材を組み付ける前に天井パネルの荷重を支柱のみで支持することが可能となる。
なお、「支柱を倒れないように立てる」とは、天井パネルを載せても倒れることはなく、また、天井パネルを載せる前に、支柱に触れても倒れないことを意味する。
ここで、側部材とは、例えば、ユニット式ルームの壁部材（パネル）、ドア枠、窓枠等、床パネルの辺に沿って立てられる部材を意味する。
したがって、請求項１に記載のユニット式ルームの支柱を用いることで、壁部材等の側部材によって天井パネルを支持する必要が無くなり、天井先組みが可能となる。
【００１１】
また、支柱で天井パネルを支持した後、支柱と支柱との間に側部材を配置し、支柱の第１の長尺片、及び第２の長尺片に側部材の端縁を連結することで、４方を側部材で囲まれたユニット式ルームが得られる。
また、このユニット式ルームの支柱は、長手方向直角断面が、４片からなる閉断面形状（角パイプ形状）の支柱とは異なり、少なくとも第１の長尺片及び第２の長尺片の２片、固定片が第１の長尺片及び第２の長尺片に沿って長尺形状とされていれば３片によって天井パネルの荷重を支持するので、４片からなる閉断面形状の支柱に比較して材料使用量が少なくて済み、また、軽量化にもなる。
なお、床パネルの形状は４角形に限らず、４角形以外の多角形であっても良い。また、床パネルのコーナー部分（角部分）に支柱を立てるが、天井パネルを支持できれば、全てのコーナー部分に支柱を立てなくても良い。
また、側部材は、床パネルの全ての辺に配置しなくても良い。例えば、床パネルの一部の辺については、屋外に開放するために側部材を取り付けない場合もある。
【００１２】
請求項２に記載の発明は、請求項１に記載のユニット式ルームの支柱において、前記固定片は、支柱全長に渡って長尺状に形成されている。
【００１３】
次に、請求項２に記載のユニット式ルームの支柱の作用を説明する。
固定片が支柱全長に渡って長尺状に形成されているため、天井の荷重を第１の長尺片、第２の長尺片、及び固定片の３片によって支持することができ、支柱の強度が向上し、第１の長尺片及び第２の長尺片の２片で支持するよりも、高荷重を支持可能となる。
【００１４】
請求項３に記載の発明は、請求項１に記載のユニット式ルームの支柱において、前記固定片は、側縁の長手方向一方側のみに形成されている。
【００１５】
次に、請求項３に記載のユニット式ルームの支柱の作用を説明する。
支柱を立てるには、固定片は側縁の長手方向一方側のみに形成されていれば良く、長手方向一方側のみに形成された固定片を床パネルのフランジ部に固定すれば、床パネルの上に支柱を倒れないように立てることができる。
【００１６】
請求項４に記載の発明は、請求項１に記載のユニット式ルームの支柱において、前記固定片は、側縁の長手方向両側に形成されている。
【００１７】
次に、請求項４に記載のユニット式ルームの支柱の作用を説明する。
固定片を側縁の長手方向両側に形成することで、一方の固定片は床パネルのフランジ部との連結に用い、他方の固定片は天井パネルとの連結用に用いることができる。
また、固定片を側縁の長手方向両側に形成することで、支柱の上下の区別を無くすことも出来る。
【００１８】
請求項５に記載の発明は、請求項１〜請求項４の何れか１項に記載のユニット式ルームの支柱において、前記固定片の支柱長手方向の寸法は、前記フランジ部の高さ寸法の５０〜２０００％の範囲内に設定されている。
【００１９】
次に、請求項５に記載のユニット式ルームの支柱の作用を説明する。
固定片の支柱長手方向の寸法が、フランジ部の高さ寸法の５０％未満になると、固定片が小さすぎてフランジ部に連結する部分としての剛性が不足する。剛性が低すぎると、側部材を連結する前に、変形する虞もある。
【００２０】
固定片の支柱長手方向の寸法が、フランジ部の高さ寸法の２０００％を超えると、フランジ部に連結する部分としての剛性は十分足りており、材料の無駄となる。天井の荷重を支持するための強度が支柱に足りていれば、固定片の長さを必要以上に設定する必要は無い。また、固定片の支柱長手方向の寸法の上限は、支柱の全長と同じである。
【００２１】
請求項６に記載の発明は、請求項１〜請求項５の何れか１項に記載のユニット式ルームの支柱において、前記固定片は、前記第１の長尺片と前記第２の長尺片の両方に設けられ、前記第１の長尺片に設けられた前記固定片と前記第２の長尺片に設けられた前記固定片は夫々互いに交差する方向に延びると共に、前記床パネルの互いに交差する方向に延びる一方の前記フランジ部と他方の前記フランジ部にそれぞれ連結される。
【００２２】
次に、請求項６に記載のユニット式ルームの支柱の作用を説明する。
支柱を床パネルのコーナー部分に立てる際に、互いに交差する方向に延びる２つのフランジ部に支柱を連結する方が、ひとつのフランジ部にのみ支柱を連結するよりも、支柱を床パネルに対して強固に連結することができ、何れかの方向の倒れに弱い、といった問題が無くなる。
【００２３】
請求項６に記載の支柱では、固定片に設けられた固定片と第２の長尺片に設けられた固定片とを、床パネルの互いに交差する方向に延びる一方フランジ部と他方のフランジ部にそれぞれ連結することができるので、床パネルに対して強固に支柱を連結することができる。
【００２４】
請求項７に記載のユニット式ルームは、側縁部に床面から上方向に延びるフランジ部を備える床パネルと、前記床面の側縁部に沿って配置される側部材と、前記側部材の上部に配置される天井パネルと、前記床パネルのコーナー部分に配置される請求項１〜請求項６の何れか１項に記載のユニット式ルームの支柱と、を備え、前記ユニット式ルームの支柱の固定片が、連結部材によって前記フランジ部に固定され、前記ユニット式ルームの支柱が前記天井パネルを支持している。
【００２５】
次に、請求項７に記載のユニット式ルームの作用を説明する。
請求項７に記載のユニット式ルームは、請求項１〜請求項６の何れか１項に記載のユニット式ルームの支柱を含んで構成されているため、例えば、支柱を床パネルのコーナー部分に倒れないように立てて天井パネルを搭載した後に、支柱に対して側部材の連結を行うことができ（所謂、天井先組み工法）、また、軽量化にもなる。
【発明の効果】
【００２６】
以上説明したように本発明のユニット式ルームの支柱によれば、嵩張らず、かつユニット式ルームの天井先組みが可能になる、という優れた効果を有する。
また、本発明のユニット式ルームによれば、天井先組みが可能となり、支柱の嵩も張らずに済む。
【図面の簡単な説明】
【００２７】
【図１】（Ａ）〜（Ｃ）はユニット式ルームの組立手順を示す斜視図である。
【図２】ユニット式ルームの縦断面図である。
【図３】（Ａ）は第１の実施形態に係る支柱の斜視図であり、（Ｂ）は支柱の矢印Ｂ方向矢視図、（Ｃ）は支柱の矢印Ｃ方向矢視図、（Ｄ）は支柱の矢印Ｄ方向矢視図である。
【図４】床パネルのコーナー部分を示す斜視図である。
【図５】（Ａ）は第２の実施形態に係る支柱の斜視図であり、（Ｂ）は支柱の矢印Ｂ方向矢視図、（Ｃ）は支柱の矢印Ｃ方向矢視図、（Ｄ）は支柱の矢印Ｄ方向矢視図である。
【図６】（Ａ）は第３の実施形態に係る支柱の斜視図であり、（Ｂ）は支柱の矢印Ｂ方向矢視図、（Ｃ）は支柱の矢印Ｃ方向矢視図、（Ｄ）は支柱の矢印Ｄ方向矢視図である。
【図７】（Ａ）は第４の実施形態に係る支柱の斜視図であり、（Ｂ）は支柱の矢印Ｂ方向矢視図、（Ｃ）は支柱の矢印Ｃ方向矢視図、（Ｄ）は支柱の矢印Ｄ方向矢視図である。
【図８】（Ａ）は第５の実施形態に係る支柱の斜視図であり、（Ｂ）は支柱の矢印Ｂ方向矢視図、（Ｃ）は支柱の矢印Ｃ方向矢視図である。
【図９】床パネルのコーナー部分を示す斜視図である。
【図１０】（Ａ）は第６の実施形態に係る支柱の斜視図であり、（Ｂ）は支柱の矢印Ｂ方向矢視図、（Ｃ）は支柱の矢印Ｃ方向矢視図、（Ｄ）は支柱の矢印Ｄ方向矢視図である。
【図１１】第７の実施形態に係る支柱の側面図である。
【発明を実施するための形態】
【００２８】
［第１の実施形態］
以下、図面を参照して本発明のユニット式ルームの第１の実施形態を説明する。
図１には、本実施形態のユニット式ルーム１０の概略構成が斜視図にて示されており、図２には、ユニット式ルーム１０が縦断面図にて示されている。
図１、及び図２に示すように、本実施形態ユニット式ルーム１０は、矩形の床パネル（防水パン）１２を備えている。床パネル１２の床部１２Ａの４方の端縁には、各々上方向に延びるフランジ部１２Ｂが床部１２Ａに対して一体的に形成されている。なお、フランジ部１２Ｂは、略全体が一定高さに形成されているが、一部分、例えば、ドア等の取り付け部分等は、切欠が形成されてフランジ部１２Ｂが部分的に除去、または他の部分よりも低く形成されたフランジ部１２Ｂが形成される場合もある。
【００２９】
床パネル１２の各コーナー部分には、床部１２Ａの上に支柱１４が配置され、支柱１４の上端部に天井パネル１６が搭載されている。即ち、本実施形態では、天井パネル１６の荷重が支柱１４で支持されている。
床部１２Ａの上には、支柱１４と支柱１４との間に壁パネル１８が床部１２Ａに対して垂直に配置されている。
【００３０】
次に、本実施形態の支柱１４について詳細に説明する。
図３、及び図４に示すように、本実施形態の支柱１４は、互いに交差する方向に延びる一方の壁パネル１８の端縁に沿って長尺状に形成されると共に、一方の壁パネル１８の端縁に連結される第１の長尺片１４Ａと、一方の壁パネル１８の幅方向一方側の端縁に一方の壁パネル１８とは交差する方向に延びると共に他方の壁パネル１８の端縁に沿って長尺状に形成され、他方の壁パネル１８の端縁に連結される第２の長尺片１４Ｂと、第２の長尺片１４Ｂと対向して平行配置されると共に第１の長尺片１４Ａの幅方向他方側の端縁に沿って長尺状に形成される固定片１４Ｃと、を有し、金属板（鋼板等）を折り曲げ加工することで、長手方向端部から見た形状を略コ字形状としている。なお、なお、支柱１４に鋼板を用いる場合には、メッキ等の防錆処理を施す。
【００３１】
第１の長尺片１４Ａには、第１の長尺片１４Ａを壁パネル１８の端面に固定するためのネジ等（図示せず）を挿通させる取付孔２０が支柱長手方向に沿って複数形成されている。
固定片１４Ｃには、ネジ等（図示せず）を挿通させる取付孔２２が長手方向両側に一対形成されている。
【００３２】
また、第２の長尺片１４Ｂには、固定片１４Ｃの取付孔２２と対向する位置に丸孔２４が形成されている。この丸孔２４は、取付孔２２を挿通させたネジ等（図示せず）を床パネル１２のフランジ部１２Ｂに締め付けるためのドライバー（図示せず）を挿通させるために用いられる。
【００３３】
さらに、第２の長尺片１４Ｂには、長手方向中間部分に、幅方向（水平方向）に延びる長孔２６が支柱長手方向に沿って複数形成されている。この長孔２６は、第２の長尺片１４Ｂに壁パネル１８を固定するためのネジ等（図示せず）を挿通させるために用いられる。
【００３４】
次に、この支柱１４を用いたユニット式ルーム１０の組立手順を説明する。
（１）  先ず最初に、図１（Ａ）に示すように、床パネル１２の床部１２Ａのコーナー部分に床部１２Ａに対して垂直に支柱１４を載せ、例えば、図４に示すように固定片１４Ｃをネジ２８によってフランジ部１２Ｂに固定して支柱１４を床部１２Ａの上に倒れないように立てる。
【００３５】
固定片１４Ｃの反対側には、第２の長尺片１４Ｂが配置されているが、第２の長尺片１４Ｂに形成された丸孔２４にドライバーの図示しないシャフト（電動ドライバーの場合はビット）、を挿通させることで、第２の長尺片１４Ｂの反対側に配置された固定片１４Ｃの取付孔２２に挿通させたネジ２８を容易に操作することができる。なお、図４において、符合３０は、固定用のネジ２８を止めるためのフランジ部１２Ｂに形成された孔であり、床部１２Ａの上面よりも上側に形成されている。このように、本実施形態の床パネル１２では、支柱１４を固定するための孔を、床部１２Ａに形成しないため、水漏れ対策を特に必要としない。
【００３６】
（２）  次に、図１（Ｂ）に示すように、４本の支柱１４の上に、天井パネル１６を搭載し、図２に示すように、天井パネル１６の固定用下フランジ部１６Ａに、固定片１４Ｃの上側をネジ３２によって固定し、天井パネル１６を支柱１４に支持させる。したがって、本実施形態のユニット式ルーム１０では、天井パネル１６の荷重は、４本の支柱１４によって支持されることになる。
【００３７】
（３）  次に、図１（Ｃ）に示すように、床パネル１２の上で、支柱１４と支柱１４との間に壁パネル１８を配置する。
【００３８】
（４）  そして、第１の長尺片１４Ａに一方の壁パネル１８の端面を密着させ、例えば、取付孔２０を挿通させたネジを壁パネル１８の端面に捩じ込み、一方の壁パネル１８を第１の長尺片１４Ａに固定し、第２の長尺片１４Ｂに他方の壁パネル１８の端面を密着させ、例えば、長孔２６を挿通させたネジを他方の壁パネル１８の端面に捩じ込み、他方の壁パネル１８を第２の長尺片１４Ｂに固定する。
各支柱１４の間に壁パネル１８を配置して、壁パネル１８の端面を支柱１４に固定することで、ユニット式ルーム１０が完成する。
【００３９】
なお、ここでは、第１の長尺片１４Ａに一方の壁パネル１８を固定し、第２の長尺片１４Ｂに他方の壁パネル１８を固定する説明をしたが、例えば、４本の内の何れか１本の支柱１４においては、第２の長尺片１４Ｂに、ユニット式ルーム１０に用いられる図示しないドア枠等、壁パネル１８以外の側部材を固定しても良い。なお、第１の長尺片１４Ａに、ユニット式ルーム１０に用いられる図示しないドア枠等、壁パネル１８以外の側部材を固定しても良い。
【００４０】
第２の長尺片１４Ｂに長孔２６を形成しているので、第２の長尺片１４Ｂに取り付ける、ドア枠や壁パネル１８等の取付位置を調整（長孔２６の長手方向）することが可能である。なお、調整を必要としない場合には、長孔２６を丸孔に代えることもできる。
【００４１】
図４に示すように、第１の長尺片１４Ａ、及び第２の長尺片１４Ｂに壁パネル１８の端面を密着させて固定ことで、一方の壁パネル１８と他方の壁パネル１８との間の隙間が無くなり、水密性能が確保される。
【００４２】
なお、壁パネル１８の端面と第１の長尺片１４Ａとの間、及び壁パネル１８の端面と第２の長尺片１４Ｂとの間に、さらに、パッキン、シール剤を介在させても良く、一方の壁パネル１８と他方の壁パネル１８との間の隅部分に、シール剤、モール等を設けても良い。
このように、本実施形態の支柱１４を用いることで、壁パネル１８によって天井パネル１６を支持する必要が無くなり、天井先組みが可能なユニット式ルーム１０となる。また、支柱１４は、４片からなる閉断面形状（角パイプ形状）の支柱とは異なり材料使用量が少なくて済み、軽量化が図られる。
【００４３】
［第２の実施形態］
以下、図面を参照して本発明の支柱１４の第２の実施形態を説明する。なお、本実施形態は第１の実施形態の変形例であり、第１の実施形態と同一構成には同一符合を付し、その説明は省略する。
【００４４】
図５に示すように、本実施形態の支柱１４は、固定片１４Ｃの形状が第１の実施形態の支柱１４とは異なり、支柱１４の長手方向両側において、幅方向に突出する突出部１４Ｃａが形成されており、第１の実施形態よりも取付孔２２が多く形成されており、フランジ部１２Ｂに対して強固に固定できる。
なお、本実施形態の支柱１４の取付方法、及び作用効果は第１の実施形態と同様である。
【００４５】
［第３の実施形態］
以下、図面を参照して本発明の支柱１４の第３の実施形態を説明する。なお、本実施形態は第１の実施形態の変形例であり、第１の実施形態と同一構成には同一符合を付し、その説明は省略する。
【００４６】
図６に示すように、本実施形態の支柱１４は、第２の長尺片１４Ｂの形状が第１の実施形態の支柱１４とは異なり、第２の長尺片１４Ｂの長手方向両側において、丸孔２４の代わりに、矩形の切欠３４が形成されている。
本実施形態では、第２の長尺片１４Ｂに形成された切欠３４を介してドライバーを差し込むことで、第２の長尺片１４Ｂの反対側に配置された固定片１４Ｃの取付孔２２に挿通させたネジ２８（図６では図示せず）を容易に操作することができる。
【００４７】
［第４の実施形態］
以下、図面を参照して本発明の支柱１４の第４の実施形態を説明する。なお、本実施形態は第１の実施形態の変形例であり、第１の実施形態と同一構成には同一符合を付し、その説明は省略する。
【００４８】
図７に示すように、本実施形態の支柱１４は、第３の実施形態の支柱１４の一部を変更した例であり、固定片１４Ｃが支柱１４の長手方向両端側のみに形成されている。このため、第３の実施形態よりも軽量化が図られている。
【００４９】
また、第１の長尺片１４Ａの固定片１４Ｃ側の端縁には、長手方向に沿って直線状に延びる切欠１５が形成されている。
第１の長尺片１４Ａに、２点鎖線で示す様に壁パネル１８を取り付けると、壁パネル１８のエッジ１８Ｅが、切欠１５の端縁１５Ｅから若干（数ミリ程度）突出する。
【００５０】
目視にて、壁パネル１８のエッジ１８Ｅと切欠１５の端縁１５Ｅとが平行となるように壁パネル１８を支柱１４に固定することで、壁パネル１８の端面の長手方向と支柱１４の長手方向とを平行にすることが出来る。
【００５１】
［第５の実施形態］
以下、図面を参照して本発明の支柱１４の第５の実施形態を説明する。なお、本実施形態は第１の実施形態の変形例であり、第１の実施形態と同一構成には同一符合を付し、その説明は省略する。
【００５２】
前述した第１〜３の実施形態では、第１の長尺片１４Ａの幅方向端部に、第２の長尺片１４Ｂと対向するように固定片１４Ｃが形成されていたが、図８、及び図９に示すように、本実施形態の支柱１４では、固定片１４Ｃが第２の長尺片１４Ｂとは対向しないように、第２の長尺片１４Ｂとは反対方向に延びて、長手方向端部から見た形状がクランク形状とされている。
【００５３】
また、本実施形態では、固定片１４Ｃが支柱１４の長手方向両端側のみに形成されており、軽量化が図られている。
本実施形態では、固定片１４Ｃに対して第２の長尺片１４Ｂが対向していないため、固定片１４Ｃの取付孔２２に挿通させたネジ２８をドライバーで容易に操作することができる。
【００５４】
ここで、図８（Ａ）に示すように、固定片１４Ｃの支柱長手方向の寸法ｈは、強度、及び材料使用量の観点から、フランジ部１２Ｂの高さ寸法Ｈ（図４参照。床部１２Ａの上面からの高さ寸法）の５０〜２０００％（＝（ｈ／Ｈ）×１００）の範囲内に設定することが好ましい。但し、固定片１４Ｃの支柱長手方向の寸法ｈは支柱１４よりも長くする必要は無いので、固定片１４Ｃの支柱長手方向の寸法ｈの上限は、支柱１４の全長である。
なお、本実施形態の支柱１４の取付方法、及び作用効果は第１の実施形態と同様である。
【００５５】
［第６の実施形態］
以下、図面を参照して本発明の支柱１４の第６の実施形態を説明する。なお、本実施形態は第１の実施形態の変形例であり、第１の実施形態と同一構成には同一符合を付し、その説明は省略する。
【００５６】
図１０に示すように、本実施形態の支柱１４は、第５の実施形態の支柱１４の変形例であり、第２の長尺片１４Ｂの長手方向両端側に、取付孔３６の穿孔された片１４Ｄが形成され、第１の長尺片１４Ａの両側に切欠３８が形成されている。片１４Ｄには、取付孔３６及びネジ等（図示せず）を用いて壁パネル１８以外の部材を取り付けることが可能である。
なお、本実施形態の支柱１４の取付方法、及び作用効果は第１の実施形態と同様である。
【００５７】
［第７の実施形態］
以下、図面を参照して本発明の支柱１４の第７の実施形態を説明する。なお、本実施形態は第１の実施形態の変形例であり、第１の実施形態と同一構成には同一符合を付し、その説明は省略する。
【００５８】
本実施形態の支柱１４には、第４の実施形態で説明した切欠１５の代わりとなる、覗き孔４０が、第１の長尺片１４Ａの長手方向両側に形成されている。
本実施形態では、２つの覗き孔４０の中心に、壁パネル１８のエッジ１８Ｅが見えるように壁パネル１８を支柱１４に固定することで、壁パネル１８の端面の長手方向と支柱１４の長手方向とを平行にすることが出来る。
【００５９】
［その他の実施形態］
なお、上記実施形態では、第２の長尺片１４Ｂが、ドアの枠等の調整の為に第１の長尺片１４Ａよりも幅広に形成されていたが、壁パネル１８のみを連結するのであれば第１の長尺片１４Ａと同等の幅であっても良い。
上記実施形態では、壁パネル１８を支柱１４に連結するために、壁パネル１８を支柱１４にネジ止めしたが、ボルト、釘、リベット、接着剤等、ネジ以外の連結部材で連結しても良く、壁パネル１８に連結部材としてのフック等を取り付けて支柱１４の孔にフックを引掛けて壁パネル１８を支柱１４に連結しても良い。
上記実施形態では、支柱１４の取付孔２２を通したネジ２８をフランジ部１２Ｂに固定したが、フランジ部１２Ｂに丸孔を形成すると共に支柱１４にバーリング加工等を施し、フランジ部１２Ｂを通したネジ２８をバーリング加工した孔に固定することで、支柱１４をフランジ部１２Ｂに固定することも出来る。
上記実施形態のユニット式ルーム１０では、床パネル１２の各コーナー部分（４箇所）に本発明の支柱１４を配置したが、全てのコーナー部分に本発明の支柱１４を用いなくても良く、特定のコーナー部分にのみに本発明の支柱１４を用い、他の部分には本発明の支柱１４とは異なる他の支柱を用いても良い。
なお、上記何れの支柱１４においても、全長に渡って延びている片の数は３以下であり、従来の閉断面形状の支柱（片の数４）よりも片が少ないため、軽量化されている。
【符号の説明】
【００６０】
１０      ユニット式ルーム
１２      床パネル
１２Ｂ    フランジ部
１２Ａ    床部
１４Ｃ    固定片
１４      支柱（ユニット式ルームの支柱）
１４Ａ    第１の長尺片
１４Ｂ    第２の長尺片
２８      ネジ（連結部材）
【図１】
2011099218.tif 000003
【図２】
2011099218.tif 000004
【図３】
2011099218.tif 000005
【図４】
2011099218.tif 000006
【図５】
2011099218.tif 000007
【図６】
2011099218.tif 000008
【図７】
2011099218.tif 000009
【図８】
2011099218.tif 000010
【図９】
2011099218.tif 000011
【図１０】
2011099218.tif 000012
【図１１】
2011099218.tif 000013